(57)【要約】【課題】オリジナル機種とＯＥＭ機種とで同一の本体制御基板を用いても、それぞれの機種名をリモコンに表示できるようにする。【解決手段】給湯機の能力や機能を認識させる機能設定手段４５４の設定状態に対応したオリジナル機種の機種名を記憶している機種名記憶手段４５６を有した給湯機であって、リモコン制御基板４７に、オリジナル機種であるか派生機種であるかの派生情報を設定する派生情報設定手段４７４を設けると共に、オリジナル機種名を派生情報設定手段４７４で設定されている派生情報に基づいて派生機種名に変換する派生機種名変換ルール記憶手段４５７を設け、機種名表示要求があると、機能設定手段４５４の設定状態と、機種名記憶手段４５６の機種名情報と、派生情報設定手段４７４で設定されている派生情報と、派生機種名変換ルール記憶手段４５７のルールとに基づいて、オリジナル機種名または派生機種名を表示部４１に表示するようにした。【選択図】図２
2014185790.tif 000002
【特許請求の範囲】
【請求項１】
給湯機本体を制御する本体制御部と、給湯機の能力や機能を前記制御部に認識させるよう設定する機能設定手段と、該機能設定手段の設定状態に対応したオリジナル機種の機種名を記憶している機種名記憶手段とを有した本体制御基板を備えた給湯機本体と、本体制御基板と通信可能に接続されてリモコンを制御するリモコン制御部を有したリモコン制御基板と、操作スイッチと、情報を表示する表示部とを備えたリモコン装置とで構成される給湯機であって、前記リモコン制御基板に、オリジナル機種であるか該オリジナル機種からの派生機種であるかの派生情報を設定する派生情報設定手段を設けると共に、前記本体制御基板または前記リモコン制御基板のいずれか一方に前記機種名記憶手段で記憶しているオリジナル機種の機種名を派生情報設定手段で設定されている派生情報に基づいて派生機種の機種名に変換する派生機種名変換ルール記憶手段を設け、機種名表示要求があったときに、前記機能設定手段の設定状態と、前記機種名記憶手段の機種名情報と、前記派生情報設定手段で設定されている派生情報と、前記派生機種名変換ルール記憶手段のルールとに基づいて、オリジナル機種の機種名または派生機種の機種名を前記表示部に表示するようにしたことを特徴とする給湯機。
【請求項２】
前記派生情報設定手段は、前記リモコン制御基板上に設けられたジャンパー回路またはディップスイッチであることを特徴とする請求項１記載の給湯機。
【請求項３】
前記派生情報設定手段は、前記リモコン装置の前記操作スイッチの特定操作に応じて派生情報が記憶される停電時も情報を保持するメモリであることを特徴とする請求項１記載の給湯機。
【請求項４】
前記メモリは前記本体制御基板に設けられていることを特徴とする請求項３記載の給湯機。
【請求項５】
前記派生機種名変換ルール記憶手段は、前記機種名記憶手段と一体に設けられていることを特徴とする請求項１〜４のいずれか一項に記載の給湯機。
【発明の詳細な説明】
【技術分野】
【０００１】
本発明は、リモコン装置の表示部に給湯機の機種名を表示可能とした給湯機に関するものである。
【背景技術】
【０００２】
従来よりこの種の給湯機のリモコン装置においては、特許文献１のように、給湯機本体の本体制御基板に機種名が記憶され、機種名表示要求があると本体制御基板に記憶されている機種名をリモコン装置の表示部に表示するようにしたものがあった。
【先行技術文献】
【特許文献】
【０００３】
【特許文献１】特開２００１−２７２０９７号公報
【発明の概要】
【発明が解決しようとする課題】
【０００４】
一般にこのような従来のものでは、本体制御基板のディップスイッチ設定やジャンパー線設定によって給湯能力や風呂機能の内容などの制御機能部品および制御プログラムに関連のある設定がされ、表示要求があった場合に、このジャンパー線設定の状態と本体制御基板に予めプログラムされている機種名対応表とから対応する機種名を判別し、これをリモコン装置の表示部に表示するようにしている。
【０００５】
しかしながら、自社ブランドによるオリジナル機種と制御機能部品および制御プログラムが全く同一の相手先ブランドによるＯＥＭ機種があった場合、本体制御基板のジャンパー線設定は同一となるために、機種名が異なるものの本体制御基板ではこれを区別する情報がなく、ＯＥＭ機種にオリジナルの機種名が表示されているという問題があった。
【０００６】
ここで、ＯＥＭ機種である旨の情報を付与するジャンパー回路を本体制御基板に新たに設ければＯＥＭの機種名を表示できるが、本体制御基板がオリジナル機種とＯＥＭ機種とで別物となってしまい、能力や機能の違いで多数存在する本体制御基板の種類が増え、工場の製造段階での基板管理が煩雑になるという問題が新たに発生し、ＯＥＭ先が複数あると、ジャンパー回路を増やす必要があり、さらに基板管理が複雑化するという問題がある。
【０００７】
また、オリジナル機種と、オリジナル機種と制御機能部品および制御プログラムが全く同一で同じ本体制御基板を用い、機能に影響のない外装や外部付加部品が異なる派生機種があった場合も、オリジナル機種とＯＥＭ機種と同じように派生機種の機種名が表示されずに、オリジナル機種の機種名が表示されるという問題があった。
【０００８】
そこで、本発明はオリジナル機種とＯＥＭ機種（派生機種）とで同一の本体制御基板を用いても、それぞれの機種名を表示できるようにすることを目的とする。
【課題を解決するための手段】
【０００９】
本発明は上記目的を達するため、給湯機本体を制御する本体制御部と、給湯機の能力や機能を前記制御部に認識させるよう設定する機能設定手段と、該機能設定手段の設定状態に対応したオリジナル機種の機種名を記憶している機種名記憶手段とを有した本体制御基板を備えた給湯機本体と、本体制御基板と通信可能に接続されてリモコンを制御するリモコン制御部を有したリモコン制御基板と、操作スイッチと、情報を表示する表示部とを備えたリモコン装置とで構成される給湯機であって、前記リモコン制御基板に、オリジナル機種であるか該オリジナル機種からの派生機種であるかの派生情報を設定する派生情報設定手段を設けると共に、前記本体制御基板または前記リモコン制御基板のいずれか一方に前記機種名記憶手段で記憶しているオリジナル機種の機種名を派生情報設定手段で設定されている派生情報に基づいて派生機種の機種名に変換する派生機種名変換ルール記憶手段を設け、機種名表示要求があったときに、前記機能設定手段の設定状態と、前記機種名記憶手段の機種名情報と、前記派生情報設定手段で設定されている派生情報と、前記派生機種名変換ルール記憶手段のルールとに基づいて、オリジナル機種の機種名または派生機種の機種名を前記表示部に表示するようにした。
【００１０】
なお、ここで派生情報には、狭義の派生のみならずＯＥＭ機種である旨の情報も含み、派生機種とは、狭義の派生機種のみでなく、オリジナルからの派生という広義の意味でＯＥＭ機種も含むものである。
【００１１】
また、前記派生情報設定手段は、前記リモコン制御基板上に設けられたジャンパー回路またはディップスイッチであるものとした。
【００１２】
また、前記派生情報設定手段は、前記リモコン装置の前記操作スイッチの特定操作に応じて派生情報が記憶される停電時も情報を保持するメモリであるものとした。
【００１３】
また、前記メモリは前記本体制御基板に設けられているものとした。
【００１４】
また、前記派生機種名変換ルール記憶手段は、前記機種名記憶手段と一体に設けられているものとした。
【発明の効果】
【００１５】
本発明によれば、制御機能部品および制御プログラムが全く同一の自社ブランドによるオリジナル機種と相手先ブランドによるＯＥＭ機種（または自社ブランド、他社ブランドの派生機種）の場合、本体制御基板の設定が同一であっても、リモコン制御基板上の派生情報設定手段で設定された派生情報からオリジナル機種とＯＥＭ機種（派生機種）を区別して、それぞれの機種名を表示できる。
【００１６】
また、本体制御基板は、オリジナル機種とＯＥＭ機種（派生機種）の区別がないため、非常に多数の種類が存在する本体制御基板の基板管理が従来と全く変わらず容易に管理可能であると共に、オリジナル機種とＯＥＭ機種（派生機種）の区別は、本体制御基板に比べて種類の少ないリモコン制御基板で付けるようにしているため、基板管理の手間は最小限に抑えられるという利点がある。
【図面の簡単な説明】
【００１７】
【図１】本発明の一実施形態のヒートポンプ貯湯式給湯機の概略構成図
【図２】同一実施形態の制御基板を説明する概略構成図
【図３】同一実施形態の作動を説明するためのフローチャート図
【図４】同一実施形態の機種名記憶手段および派生機種名変換ルール記憶手段の設定状態および派生情報と機種名との対応を説明するための図
【発明を実施するための形態】
【００１８】
次に、本発明の一実施形態のヒートポンプ貯湯式給湯機１を図面に基づいて説明する。２は湯水を貯湯するステンレス製で３７０Ｌの容量の貯湯タンク３を有した貯湯タンクユニット、４は貯湯タンク３内の湯水を主に深夜時間帯に沸き上げるヒートポンプ式加熱手段としてのヒートポンプユニット、５は給湯設定温度を変更する等の操作を行うためのリモコン装置である。
【００１９】
貯湯タンクユニット２には、貯湯タンク３底部に市水を給水する給水管６と、貯湯タンク３上部から出湯する出湯管７と、給水管６から分岐された給水バイパス管８と、出湯管７からの湯水と給水バイパス管８からの水とを給湯設定温度になるように混合する給湯混合弁９と、給湯混合弁９で混合された湯が流通する給湯管１０と、給湯管１０途中に設けられ給湯温度を検出する給湯温度センサ１１と、給湯管１０途中に設けられ給湯流量を検出する給湯流量センサ１２と、貯湯タンク２の側面上下に複数設けられてそれぞれ貯湯温度を検出する貯湯温度センサ１３と、給水管６に設けられ市水の給水圧を一定の圧力に減圧する減圧弁１３と、貯湯タンク２内の過圧を逃がす過圧逃がし弁１４と、ヒートポンプユニット４で加熱するため貯湯タンク２底部から取り出した湯水を流通させる加熱往き管１５と、ヒートポンプユニット４で加熱された湯水を貯湯タンク２上部へ戻すために流通させる加熱戻り管１６と、貯湯タンク３側面に高さを異ならせて複数設けられ貯湯温度を検出する貯湯温度センサ１７とが設けられている。
【００２０】
また、貯湯タンクユニット２には、貯湯タンク２内の湯の熱で浴槽１８からの浴水を加熱するための風呂熱交換器１９と、浴槽１８と風呂熱交換器１９とを浴水が循環可能に接続する風呂循環回路２０と、風呂循環回路２０途中に設けられ浴水を循環させる風呂循環ポンプ２１と、風呂循環回路２０を風呂熱交換器１９をバイパスして接続する熱交バイパス管２２と、浴槽１８からの浴水を風呂熱交換器１９側へ流すか熱交バイパス管２２側へ流すかを切り替える三方弁２３と、浴槽１８から風呂熱交換器１９へ流れる浴水の温度を検出する風呂温度センサ２４と、風呂循環回路２０の浴水の循環の有無を検知する流水スイッチ２５と、浴槽１８内の水位を検出するための水位センサ２６とが設けられている。
【００２１】
さらに、貯湯タンクユニット２には、給湯管１０から分岐されて風呂循環回路２０途中に接続される湯はり管２７と、湯はり管２６途中に設けられ湯はり流量を検出する湯はり流量センサ２８と、湯はり管２７途中に設けられ湯はり温度を検出する湯はり温度センサ２９と、湯はり管２７途中に設けられた電磁弁よりなる湯はり開閉弁３０と、湯はり開閉弁３０の下流に設けられ、湯はり開閉弁３０上流側の給水圧よりも浴槽１８からの逆流圧が高いときに浴水を外部に排水するホッパー弁３１とが設けられている。
【００２２】
ヒートポンプユニット４には、冷媒を圧縮する圧縮機３２と、圧縮された高温冷媒と貯湯タンク３からの湯水とを熱交換する冷媒水熱交換器３３と、冷媒水熱交換器３３で放熱された冷媒を減圧する膨張弁３４と、低温低圧の冷媒を蒸発する蒸発器３５と、圧縮機３２、冷媒水熱交換器３３、膨張弁３４、蒸発器３５を環状に接続した冷凍サイクル配管３６と、蒸発器３５に熱源となる外気を送風する送風機３７と、冷媒水熱交換器３３の水側に貯湯タンク３からの湯水を供給する加熱循環ポンプ３８と、加熱往き管１５から冷媒水熱交換器３３に流入する湯水の温度を検出する入水温度センサ３９と、冷媒水熱交換器３３から加熱戻り管１６へ流出する湯水の温度を検出する沸き上げ温度センサ４０とが設けられている。
【００２３】
リモコン装置５には、給湯機に関する各種の情報（給湯設定温度、風呂設定温度、風呂設定湯量、残湯量、給湯機の作動状態、機種名等）を表示する表示部４１と、給湯設定温度および風呂設定温度あるいは風呂設定湯量を設定操作するための設定スイッチ４２と、浴槽１８へ風呂設定湯量の湯はりを指示する湯はりスイッチ４３等の複数の操作スイッチ４４とが設けられている。
【００２４】
４５は貯湯タンクユニット２内に設けられ、給湯温度センサ１１、給湯流量センサ１２、貯湯温度センサ１７、風呂温度センサ２４、流水スイッチ２５、水位センサ２６、湯はり流量センサ２８、湯はり温度センサ２９の検出値が入力され、給湯混合弁９、風呂循環ポンプ２１、三方弁２３、湯はり開閉弁３０の作動を制御すると共に、ヒートポンプユニット４およびリモコン装置５と必要な情報を送受信可能に接続された本体制御部４５１を備えた本体制御基板である。
【００２５】
４６はヒートポンプユニット４内に設けられ、入水温度センサ３９、沸き上げ温度センサ４０の検出値が入浴され、圧縮機３２、膨張弁３４、送風機３７、加熱循環ポンプ３８の作動を制御すると共に、本体制御部４５１と必要な情報を送受信可能に接続された加熱制御部４７である。ここで、加熱制御部４６は、ＭＰＵ等の論理回路を有して予め記憶されているプログラムに従って作動を制御するものである。
【００２６】
４７はリモコン装置５内に設けられ、操作スイッチ４４の操作信号や本体制御部４５１からの信号を受け、表示部４１に予め定められた必要な表示を行わせると共に、本体制御部４５１に操作信号に基づく信号を送信するリモコン制御部４７１を備えたリモコン制御基板である。
【００２７】
ここで、本体制御部４５１と加熱制御部４６とリモコン制御部４７１は互いに必要な情報を授受して、互いに連携してヒートポンプ貯湯式給湯機の作動を制御する制御手段として振る舞うものである。
【００２８】
上記のヒートポンプ貯湯式給湯機１は、フルオートタイプの風呂機能が装備されている機種であるが、給湯専用の機種では、風呂熱交換器１９、風呂循環回路２０、風呂循環ポンプ２１、熱交バイパス管２２、三方弁２３、風呂温度センサ２４、流水スイッチ２５、水位センサ２６、湯はり管２７、湯はり流量センサ２８、湯はり温度センサ２９、湯はり開閉弁３０、ホッパー弁３１が全て未装備となり、リモコン装置５も給湯専用の機種用に、湯はりスイッチ４３が未装備となるものが用いられる。また貯湯タンク３の容量も４６０Ｌの機種も別に用意されている。その他にも貯湯タンク３を２缶式とした機種や、寒冷地向けとした機種など多数の機種が機能の異なるオリジナル機種として用意されるが、これらの構造については公知であるため、その説明は省略する。
【００２９】
ここで、本体制御基板４５とリモコン制御基板４７について図２を用いて詳述する。
【００３０】
本体制御基板４５の本体制御部４５１は、ＭＰＵ等の論理回路と、予めフルオート用や給湯専用用、あるいは貯湯タンク容量３７０Ｌ用や４６０Ｌ用のプログラムが記憶されているＲＯＭ４５２と、ＲＡＭ４５３とを有しており、予め記憶されているプログラムに従って貯湯タンクユニット２の作動を制御するものである。
【００３１】
また、本体制御基板４５には、給湯機の能力（ここでは貯湯タンク容量の区別）や機能（ここではフルオートと給湯専用等の区別）を前記制御部に認識させるよう設定する機能設定手段としての本体側ディップスイッチ４５４と、リモコン制御部４７１と通信するための本体側通信回路４５５とが設けられている。
【００３２】
ここで、本体制御部４５１のＲＯＭ４５２には、本体側ディップスイッチ４５４で設定されている機能情報とオリジナル機種の機種名の情報を対応づけた対応表が記憶され、機能情報から機種名を選択決定するための機種名記憶手段４５６として機能している。なお、機種名とは型式名とも呼ばれるものであり、この実施形態においては、貯湯タンクユニット１、ヒートポンプユニット４、リモコン装置５のそれぞれに機種名（型式名）を有し、これらを一つのシステムとしたシステム機種名（システム型式名）も有しているが、ここでは機種名記憶手段４５６にはシステム機種名を記憶するようにしているものである。
【００３３】
リモコン制御基板４７のリモコン制御部４７１は、ＭＰＵ等の論理回路と、予めフルオート用や給湯専用用のプログラムや表示画像データが記憶されているＲＯＭ４７２と、ＲＡＭ４７３とを有しており、予め記憶されているプログラムに従ってリモコン装置５の作動を制御するものである。
【００３４】
また、リモコン制御基板４５には、自社ブランドによるオリジナル機種であるか該オリジナル機種を他社ブランドで販売するＯＥＭ機種（広義の派生機種）であるかの派生情報、または前記のオリジナル機種であるか、オリジナル機種と制御機能部品および制御プログラムが全く同一で本体制御基板も同一だが機能に影響のない外装や外部付加部品が異なる派生機種（狭義）であるかの派生情報を設定する派生情報設定手段としてのリモコン側ディップスイッチ４７４と、本体制御部４５１と通信するためのリモコン側通信回路４７５とが設けられている。なお、派生機種とは、狭義の派生機種のみでなく、オリジナルからの派生という広義の意味でＯＥＭ機種も含むものである。
【００３５】
ここで、本体制御部４５１またはリモコン制御部４７１のいずれか一方に機種名記憶手段４５６で記憶しているオリジナル機種の機種名をリモコン側ディップスイッチ４７４で設定されている派生情報に基づいてＯＥＭ機種（または派生機種）の機種名に変換するルールを記憶する派生機種名変換ルール記憶手段４５７が設けられており、ここでは本体制御部４５１のＲＯＭ４５２に変換ルールが記憶されて派生機種名変換ルール記憶手段４５７として機能している。
【００３６】
次に、機種名をリモコン装置５の表示部４１に表示するための作動に係る作動を図３のフローチャートに基づいて説明する。
【００３７】
まず、電源供給開始が開始されると、本体制御部４５１は、本体側ディップスイッチ４５４の設定を読み込み、設定状態をＲＡＭ４５３に保持する（ステップＳ１）。
【００３８】
次に、リモコン装置５との通信によってリモコン側ディップスイッチ４７４で設定されている派生情報を読み込み、派生情報をＲＡＭ４５３に保持する（ステップＳ２）。
【００３９】
また、ＲＡＭ４５３に保持している本体側ディップスイッチ４５４の設定状態から給湯機の貯湯タンク容量、フルオート風呂機能の有無等を判断して、設定に応じたプログラムでヒートポンプ貯湯式給湯機１の制御を行い、沸き上げ動作や給湯動作、風呂動作を必要な時に適切に行うようにしている（ステップＳ３）。
【００４０】
そして、リモコン装置５の操作スイッチ４４の操作による機種名表示要求や、給湯器本体側でのエラー発生に伴う機種名表示要求が発生すると（ステップＳ４でＹｅｓ）、機種名表示要求を受けた本体制御部４５１は、ＲＡＭ４５３に保持していた本体側ディップスイッチ４５４の設定状態とリモコン側ディップスイッチ４７４の派生情報とから、機種名記憶手段４５６で記憶している設定状態と機種名の対応表および派生機種名変換ルール記憶手段４５７で記憶しているオリジナル機種名の派生機種名への変換ルールを参照して機種名の情報を生成する（ステップＳ４）。
【００４１】
具体例を図４に示す設定状態と機種名の対応表および派生機種名への変換ルールを用いて説明すると、本体側ディップスイッチ４５４の設定状態がＤＩＰ１＝ＯＮ、ＤＩＰ２＝ＯＮ、ＤＩＰ３＝ＯＮ、ＤＩＰ４＝ＯＦＦで、リモコン側ディップスイッチ４７４の派生情報がＤＩＰ１＝ＯＮ、ＤＩＰ２＝ＯＦＦであると、本体側ディップスイッチ４５４の設定状態から３７０Ｌタンク、１缶、フルオート、寒冷地仕様と判断し、リモコン側ディップスイッチ４７４のＤＩＰ１とＤＩＰ２の状態からオリジナル機種名かつ派生機種（狭義）であると判断し、該当する記号をオリジナル機種名ルールの構文に基づき並べて機種名を「ＣＨＰ−３７１ＡＫ−Ｊ」として生成する。なお、オリジナル機種名ルールの構文は、（Ｅ）−（Ａ）（Ｂ）（Ｃ）（Ｄ）（Ｆ）の順である。
【００４２】
また、別の機種の例を挙げると、本体側ディップスイッチ４７４の設定状態がＤＩＰ１＝ＯＦＦ、ＤＩＰ２＝ＯＦＦ、ＤＩＰ３＝ＯＦＦ、ＤＩＰ４＝ＯＮで、リモコン側ディップスイッチ４７４の派生情報がＤＩＰ１＝ＯＦＦ、ＤＩＰ２＝ＯＮであると、本体側ディップスイッチ４５４の状態から４６０Ｌタンク、２缶、給湯専用、一般地仕様と判断し、リモコン側ディップスイッチ４７４のＤＩＰ１とＤＩＰ２の状態からＯＥＭ機種で派生付加記号なしであると判断し、該当する記号を派生機種名ルールの構文に基づき並べて機種名を「ＣＸＦ−Ｎ２４６」として生成する。なお、派生機種名ルールの構文は、（Ｅ）−（Ｃ）（Ｂ）（Ａ）（Ｄ）（Ｆ）の順である。
【００４３】
そして、本体制御部４５１は機種名の情報が生成されると、通信回路を介してリモコン制御部４７１へ機種名の情報を送信し、リモコン制御部４７１は機種名の情報を表示部４１へ表示する（ステップＳ５）。
【００４４】
このようにして、制御機能部品および制御プログラムが全く同一の自社ブランドによるオリジナル機種と相手先ブランドによるＯＥＭ機種（または自社ブランド、他社ブランドの派生機種）の場合、本体制御基板の設定が同一であっても、リモコン制御基板上の派生情報設定手段で設定された派生情報からオリジナル機種とＯＥＭ機種（派生機種）を区別して、それぞれの機種名を表示できる。
【００４５】
また、本体制御基板４５は、オリジナル機種とＯＥＭ機種（派生機種）の区別がないため、非常に多数の種類が存在する本体制御基板４５の基板管理が従来と全く変わらず容易に管理可能であると共に、オリジナル機種とＯＥＭ機種（派生機種）の区別は、本体制御基板４５に比べて種類の少ないリモコン制御基板４７で付けるようにしているため、基板管理の手間は最小限に抑えられるという利点がある。
【００４６】
なお、本発明は上記の実施形態に限定されるものではなく、発明の要旨を変更しない範囲で改変可能なもので、上記実施形態では、機能設定手段および派生情報設定手段としてディップスイッチを用いたが、これに限られず、例えばジャンパー回路でもよいものである。また、派生情報設定手段としては、リモコン装置５の操作スイッチ４４の特定操作に応じて派生情報が本体制御部４５１のＲＡＭ４５３に記憶されるようにし、さらに、このＲＡＭ４５３のデータを停電時も保持できるようバックアップ電池を設けた構成としてもよい。また、ＲＡＭ４５３とバックアップ電池の構成に代えて、ＥＥＰＲＯＭ等の不揮発性メモリに記憶させるようにしてもよい。
【００４７】
また、機種名記憶手段４５６と派生機種名変換ルール記憶手段４５７の一部の変換ルールは図４に示す図表のように一体にして構成しているが、完全に分離した構成としてもその本質は変わりなく、変換ルールも単に機能設定手段の設定情報に対応した記号の読み替えルールであってもよいものであり、図４に示したものは一例であって、本発明の意図する範囲内において種々に設計変更してもよいものである。
【００４８】
また、給湯機としてヒートポンプ貯湯式給湯機を例示して説明したが、ガス給湯機や石油給湯機、または電気温水器でも利用可能なものである。
【符号の説明】
【００４９】
１  ヒートポンプ貯湯式給湯機
５  リモコン装置
４１  表示部
４４  操作スイッチ
４５  本体制御基板
４５１  本体制御部
４５２  ＲＯＭ
４５４  本体側ディップスイッチ（機能設定手段）
４５６  機種名記憶手段
４５７  派生機種名変換ルール記憶手段
４７  リモコン制御基板
４７１  リモコン制御部
４７４  リモコン側ディップスイッチ（派生情報設定手段）
【図１】
2014185790.tif 000003
【図２】
2014185790.tif 000004
【図３】
2014185790.tif 000005
【図４】
2014185790.tif 000006